(57)【特許請求の範囲】
【請求項１】
各々ＳＴＭ（Ｓｙｎｃｒｏｎｏｕｓ  Ｔｒａｎｓｆｅｒ  Ｍｏｄｅ）データをＡＴＭ（Ａｓｙｎｃｒｏｎｏｕｓ  Ｔｒａｎｓｆｅｒ  Ｍｏｄｅ）セルに変換するアクト系及びスタンバイ系の２重化構成をとるとともに、ＳＴＭ網の各ユーザコネクションの速度が一定でかつ自系が前記アクト系の時に予め設定された特定ＶＣ（Ｖｉｒｔｕａｌ  Ｃｈａｎｎｅｌ）セルの生成タイミングを他系に通信することで前記アクト系及び前記スタンバイ系のセル生成タイミングの同期をとる２重化ＡＡＬ１（ＡＴＭ  Ａｄａｐｔａｔｉｏｎ  Ｌａｙｅｒ  Ｔｙｐｅ  １）変換装置であって、１フレームパルス内に常に固定数かつ位相固定のＡＡＬ１セルを生成する生成手段を前記アクト系及び前記スタンバイ系各々に有することを特徴とする２重化ＡＡＬ１変換装置。
【請求項２】
前記ＳＴＭ網から前記アクト系及び前記スタンバイ系各々へ供給される同期のとれた同じクロックとフレームパルスとデータとを基に当該データを前記ＡＴＭセルに変換するＡＡＬ１ＳＡＲ（ＡＡＬ１  Ｓｅｇｍｅｎｔａｔｉｏｎ  Ａｎｄ  Ｒｅａｓｓｅｍｂｌｙ）を前記アクト系及び前記スタンバイ系各々に含み、前記通信手段及び前記生成手段を前記ＡＡＬ１ＳＡＲ内に配設したことを特徴とする請求項１記載の２重化ＡＡＬ１変換装置。
【請求項３】
前記ＡＡＬ１ＳＡＲは、外部からのセル化開始／停止要求に関わらず前記ＳＴＭデータのセル化を開始するようにしたことを特徴とする請求項２記載の２重化ＡＡＬ１変換装置。
【請求項４】
前記ＡＡＬ１ＳＡＲは、各チャネルの開閉制御を該当ＶＣセル廃棄によって行うようにしたことを特徴とする請求項２または請求項３記載の２重化ＡＡＬ１変換装置。
【請求項５】
前記ＡＡＬ１ＳＡＲは、前記ＡＴＭセル生成の際に自系が前記アクト系の時に前記フレームパルスを計数するフレームパルスカウンタの所定カウント値毎に最若番チャネルのＡＡＬ１セルから順に１フレームパルス毎にセル数固定で前記ＡＴＭセル流にＡＡＬ１セルを挿入するようにしたことを特徴とする請求項２から請求項４のいずれか記載の２重化ＡＡＬ１変換装置。
【請求項６】
前記ＡＡＬ１ＳＡＲは、自系が前記スタンバイ系の時に前記アクト系からの前記生成タイミングを基に自系の再同期をとるようにしたことを特徴とする請求項２から請求項５のいずれか記載の２重化ＡＡＬ１変換装置。
【請求項７】
各々ＳＴＭ（Ｓｙｎｃｒｏｎｏｕｓ  Ｔｒａｎｓｆｅｒ  Ｍｏｄｅ）データをＡＴＭ（Ａｓｙｎｃｒｏｎｏｕｓ  Ｔｒａｎｓｆｅｒ  Ｍｏｄｅ）セルに変換するアクト系及びスタンバイ系の２重化構成をとるとともに、ＳＴＭ網の各ユーザコネクションの速度が一定でかつ自系が前記アクト系の時に予め設定された特定ＶＣ（Ｖｉｒｔｕａｌ  Ｃｈａｎｎｅｌ）セルの生成タイミングを他系に通信することで前記アクト系及び前記スタンバイ系のセル生成タイミングの同期をとる２重化ＡＡＬ１（ＡＴＭ  Ａｄａｐｔａｔｉｏｎ  Ｌａｙｅｒ  Ｔｙｐｅ  １）変換装置の同期化方法であって、前記アクト系及び前記スタンバイ系各々において、１フレームパルス内に常に固定数かつ位相固定のＡＡＬ１セルを生成するようにしたことを特徴とする同期化方法。
【請求項８】
前記ＳＴＭ網から前記アクト系及び前記スタンバイ系各々へ供給される同期のとれた同じクロックとフレームパルスとデータとを基に当該データを前記ＡＴＭセルに変換する前記アクト系及び前記スタンバイ系各々のＡＡＬ１ＳＡＲ（ＡＡＬ１  Ｓｅｇｍｅｎｔａｔｉｏｎ  Ａｎｄ  Ｒｅａｓｓｅｍｂｌｙ）において、前記特定ＶＣセルの生成タイミングの他系への通信と、前記固定数かつ位相固定のＡＡＬ１セルの生成を行うようにしたことを特徴とする請求項７記載の同期化方法。
【請求項９】
前記ＡＡＬ１ＳＡＲは、外部からのセル化開始／停止要求に関わらず前記ＳＴＭデータのセル化を開始するようにしたことを特徴とする請求項８記載の同期化方法。
【請求項１０】
前記ＡＡＬ１ＳＡＲは、各チャネルの開閉制御を該当ＶＣセル廃棄によって行うようにしたことを特徴とする請求項８または請求項９記載の同期化方法。
【請求項１１】
前記ＡＡＬ１ＳＡＲは、前記ＡＴＭセル生成の際に自系が前記アクト系の時に前記フレームパルスを計数するフレームパルスカウンタの所定カウント値毎に最若番チャネルのＡＡＬ１セルから順に１フレームパルス毎にセル数固定で前記ＡＴＭセル流にＡＡＬ１セルを挿入するようにしたことを特徴とする請求項８から請求項１０のいずれか記載の同期化方法。
【請求項１２】
前記ＡＡＬ１ＳＡＲは、自系が前記スタンバイ系の時に前記アクト系からの前記生成タイミングを基に自系の再同期をとるようにしたことを特徴とする請求項８から請求項１１のいずれか記載の同期化方法。
【発明の詳細な説明】
【０００１】
【発明の属する技術分野】
本発明は２重化ＡＡＬ１変換装置及びそれに用いる同期化方法に関し、特にＳＴＭ（Ｓｙｎｃｒｏｎｏｕｓ  Ｔｒａｎｓｆｅｒ  Ｍｏｄｅ：同期転送モード）データをＡＴＭ（Ａｓｙｎｃｒｏｎｏｕｓ  Ｔｒａｎｓｆｅｒ  Ｍｏｄｅ：非同期転送モード）セルに変換するＡＡＬ１（ＡＴＭ  Ａｄａｐｔａｔｉｏｎ  Ｌａｙｅｒ  Ｔｙｐｅ  １）変換装置としてアクト系（現用系）及びスタンバイ系（予備系）の２重化構成をとる際の各装置間の同期化方法に関する。
【０００２】
【従来の技術】
従来、ＳＴＭデータをＡＴＭセルに変換するＳＴＭ／ＡＴＭ変換装置においては、アクト系及びスタンバイ系の２重化構成をとり、アクト系として動作している装置とスタンバイ系として動作している装置との切替えを行っている。
【０００３】
この２重化ＳＴＭ／ＡＴＭ変換装置の同期化装置としては、アクト系として動作している装置とスタンバイ系として動作している装置との切替えを行う際に情報の欠落や重複等の瞬断を起こさないように切替え可能としたものが、特開平９−５５７５２号公報及び特開平１１−２９８４９５号公報に開示されている。
【０００４】
上記公報に記載されている２重化ＳＴＭ／ＡＴＭ変換装置では、アクト系のＳＴＭ  ／ＡＴＭ変換装置とスタンバイ系のＳＴＭ／ＡＴＭ変換装置との間を接続する系間信号線と、各系に設けられかつ入力ＳＴＭフレームパルスをカウントする入力ＳＴＭフレームパルスカウンタ（例えば、３７６進カウンタ）と、ＡＡＬ１ヘッダのＳＮ（シーケンスナンバ）値が「０」となるセル組立開始時における入力ＳＴＭフレームパルスカウンタの入力ＳＴＭフレームパルスカウント値の情報と、各チャネルの開閉情報とをチャネル別に送受信することによって、アクト系とスタンバイ系との同期化を実現している。
【０００５】
この方法によれば、アクト系とスタンバイ系とのセル組立バッファのＳＴＭ蓄積状態を主信号の瞬断を起こすことなく一致させることができ、データの損失あるいは重複なしで、アクト系とスタンバイ系との系切替えを行うことができる。
【０００６】
【発明が解決しようとする課題】
上述した従来の同期化方法では、上記公報に記載の方法の場合、チャンネル個別にアクト系からスタンバイ系にチャネル開閉やセル生成、ＳＮ値一致のタイミング情報を送受信しているため、チャンネル数が多くなるにつれ、同期化処理を行うための回路の規模と処理の負荷とが急激に大きくなるという問題がある。
【０００７】
また、上記公報に記載の方法では、同一時間内に複数チャネルのＡＡＬ１セル生成タイミングが重なることによって発生するトラフィックの瞬間的な増大への対策がなされていない。
【０００８】
そこで、本発明の目的は上記の問題点を解消し、セル損失なしに系切替えを行う際に同期化に要する回路規模と装置構成とソフト処理とを簡易化させることができ、原価低減とソフトウェア処理負荷の軽減とを図ることができる２重化ＡＡＬ１変換装置及びそれに用いる同期化方法を提供することにある。
【０００９】
【課題を解決するための手段】
本発明による２重化ＡＡＬ１変換装置は、各々ＳＴＭ（Ｓｙｎｃｒｏｎｏｕｓ  Ｔｒａｎｓｆｅｒ  Ｍｏｄｅ）データをＡＴＭ（Ａｓｙｎｃｒｏｎｏｕｓ  Ｔｒａｎｓｆｅｒ  Ｍｏｄｅ）セルに変換するアクト系及びスタンバイ系の２重化構成をとるとともに、ＳＴＭ網の各ユーザコネクションの速度が一定でかつ自系が前記アクト系の時に予め設定された特定ＶＣ（Ｖｉｒｔｕａｌ  Ｃｈａｎｎｅｌ）セルの生成タイミングを他系に通信することで前記アクト系及び前記スタンバイ系のセル生成タイミングの同期をとる２重化ＡＡＬ１（ＡＴＭ  Ａｄａｐｔａｔｉｏｎ  Ｌａｙｅｒ  Ｔｙｐｅ  １）変換装置であって、１フレームパルス内に常に固定数かつ位相固定のＡＡＬ１セルを生成する生成手段を前記アクト系及び前記スタンバイ系各々に備えている。
【００１０】
本発明による２重化ＡＡＬ１変換装置の同期化方法は、各々ＳＴＭ（Ｓｙｎｃｒｏｎｏｕｓ  Ｔｒａｎｓｆｅｒ  Ｍｏｄｅ）データをＡＴＭ（Ａｓｙｎｃｒｏｎｏｕｓ  Ｔｒａｎｓｆｅｒ  Ｍｏｄｅ）セルに変換するアクト系及びスタンバイ系の２重化構成をとるとともに、ＳＴＭ網の各ユーザコネクションの速度が一定でかつ自系が前記アクト系の時に予め設定された特定ＶＣ（Ｖｉｒｔｕａｌ  Ｃｈａｎｎｅｌ）セルの生成タイミングを他系に通信することで前記アクト系及び前記スタンバイ系のセル生成タイミングの同期をとる２重化ＡＡＬ１（ＡＴＭ  Ａｄａｐｔａｔｉｏｎ  Ｌａｙｅｒ  Ｔｙｐｅ  １）変換装置の同期化方法であって、前記アクト系及び前記スタンバイ系各々において、１フレームパルス内に常に固定数かつ位相固定のＡＡＬ１セルを生成するようにしている。
【００１１】
すなわち、本発明の２重化ＡＡＬ１変換装置は、ＳＴＭ（Ｓｙｎｃｒｏｎｏｕｓ  Ｔｒａｎｓｆｅｒ  Ｍｏｄｅ）データをＡＴＭ（Ａｓｙｎｃｒｏｎｏｕｓ  Ｔｒａｎｓｆｅｒ  Ｍｏｄｅ）セルに変換しかつアクト系及びスタンバイ系の２重化構成をとるＡＡＬ１（ＡＴＭ  Ａｄａｐｔａｔｉｏｎ  Ｌａｙｅｒ  Ｔｙｐｅ  １）変換装置において、ＳＴＭ網の各ユーザコネクションの速度が一定の場合にＡＡＬ１セル生成部の両系同期方法を、両系間では代表ＶＣ（Ｖｉｒｔｕａｌ  Ｃｈａｎｎｅｌ）セル生成タイミングをアクト系からスタンバイ系へ通信し［例：３７６ＦＰ（Ｆｒａｍｅ  Ｐｕｌｓｅ）カウント毎］、かつ各系内ではＡＡＬ１セル生成タイミングを１ＦＰ内に常に固定数かつ位相固定とすることによって、簡易な回路で２重化同期のＡＡＬ１変換装置を実現可能とすることを特徴としている。
【００１２】
具体的に、本発明の２重化ＡＡＬ１変換装置では、ＳＴＭ網からアクト系及びスタンバイ系のＡＡＬ１変換装置に同期のとれた同じクロック、フレームパルス、データが供給されており、このデータをＡＴＭセルに変換する各ＡＡＬ１変換装置内のＡＡＬ１ＳＡＲ（ＡＡＬ１  Ｓｅｇｍｅｎｔａｔｉｏｎ  Ａｎｄ  Ｒｅａｓｓｅｍｂｌｙ：セル分割／組立サブレイヤ）が各系制御部からのセル化開始／停止要求に関わらずＳＴＭデータのセル化を開始し、各チャネルの開閉制御を該当ＶＣセル廃棄によって行っている。
【００１３】
セル生成の際、アクト系ＡＡＬ１ＳＡＲは自系装置内にあるＦＰカウンタ（各チャネル６４Ｋｂｐｓ時は３７６ＦＰカウント）毎に、最若番チャネルのＡＡＬ１セルから順に１ＦＰ毎にセル数固定（仮にｎ個）でＡＴＭセル流にＡＡＬ１セルを挿入する。
【００１４】
また、両系のＡＡＬ１ＳＡＲの最若番チャネルＡＡＬ１セル生成タイミングの同期化のため、系間の信号線を介してアクト系の３７６ＦＰカウントタイミングをスタンバイ系のＡＡＬ１ＳＡＲに通知する。
【００１５】
スタンバイ系のＡＡＬ１ＳＡＲは系間の信号線を介してアクト系から上記タイミングを受けると、その信号を自系ＦＰで再同期をとり、アクト系と同一タイミングで最若番チャネルのＡＡＬ１セルから順に生成を始めることで、両系のＡＡＬ１ＳＡＲが生成する各セルのＶＣとペイロードとを一致させる。
【００１６】
これによって、各ユーザコネクションの開閉に関わらず、代表コネクション単一でＡＡＬ１セル化開始のタイミングと各チャネルセル化順序とを固定させ、両系のセルのペイロードを一致させているので、コネクション数が多い場合にも容易に両系の同期をとることができ、また系を切替えた場合にデータ重複／順序逆転／損失を生じることはない。さらに、１ＦＰ時間内に生成するＡＡＬ１セルの最大数をハードで制御しているので、有効セルトラフィックの瞬間的な増大が発生しない。
【００１７】
【発明の実施の形態】
次に、本発明の一実施例について図面を参照して説明する。図１は本発明の一実施例によるＡＴＭ（Ａｓｙｎｃｒｏｎｏｕｓ  Ｔｒａｎｓｆｅｒ  Ｍｏｄｅ）交換機の構成を示すブロック図である。図１において、ＡＴＭ交換機１は０系（アクト系：現用系）装置２と１系（スタンバイ系：予備系）装置３とから構成され、０系装置２及び１系装置３はＡＡＬ１（ＡＴＭ  Ａｄａｐｔａｔｉｏｎ  Ｌａｙｅｒ  Ｔｙｐｅ  １）変換装置の２重化構成をなしている。
【００１８】
０系装置２及び１系装置３はそれぞれ、ＡＡＬ１セル変換部２１，３１と、系交絡部２２，２４，３２，３４と、ＡＴＭスイッチ部（ＡＴＭ−ＳＷ）２３，３３と、ＡＴＭ回線パッケージ（ＰＫＧ）部２５，３５とから構成されている。
【００１９】
ＳＴＭ（Ｓｙｎｃｒｏｎｏｕｓ  Ｔｒａｎｓｆｅｒ  Ｍｏｄｅ）網データ１０１，１０２はそれぞれ図示せぬアクト系のＳＴＭ装置及びスタンバイ系のＳＴＭ装置からのデータである。ＡＡＬ１セル変換部２１，３１にはクロックとフレームパルスとデータとが供給され、ＡＡＬ１セル変換部２１，３１のＳＴＭ網側では同期がとれている。また、ＡＡＬ１セル変換部２１，３１ではＳＴＭ網のデータをＡＴＭセルに変換する。
【００２０】
複数のチャンネルがフレーム上のタイムスロット（ＴＳ）に時分割多重されたＳＴＭ網のデータはこのＡＡＬ１セル変換部２１，３１を介してＡＴＭ交換機１内の系交絡部２２，３２へ送信される。
【００２１】
系交絡部２２，３２よりも後段の機能部であるＡＴＭスイッチ部２３，３３、系交絡部２４，３４、ＡＴＭ回線パッケージ部２５，３５、ＡＴＭ網データ１０３，１０４が送られるＡＴＭ網での２重化装置部での同期化（無瞬断系切替え）は既存の技術で実現されている。
【００２２】
よって、ＡＡＬ１セル変換部２１，３１から出力されるＡＡＬ１セルの両系同期がとれれば、アクト系とスタンバイ系との切替え時に系交絡部２２，３２でのデータ瞬断は発生せず、ＡＡＬ１セル変換部２１，３１の２重化同期が実現される。
【００２３】
ＡＡＬ１セル変換部２１，３１ではＳＡＲ（Ｓｅｇｍｅｎｔａｔｉｏｎ  Ａｎｄ  Ｒｅａｓｓｅｍｂｌｙ）機能としてＡＡＬ１セルの組立てを行い、ＳＴＭ網データ１０１，１０２とＡＴＭセルとの変換を行う。ＡＡＬ１セルのペイロードのフォーマットにはポインタ情報の有／無によって２種類あるが、ここでは１チャネル＝６４Ｋｂｐｓ設定時に通常用いられる１バイトのＡＡＬ１セルヘッダと４７バイトのユーザデータとで構成されるフォーマットについて説明する。
【００２４】
図２は本発明の一実施例で用いられるＡＡＬ１セルフォーマットの構成例を示す図である。図２においては既存の２重化構成ＡＴＭ交換機内において使用されているＡＡＬ１セルのフォーマットを示している。
【００２５】
ＡＡＬ１セルヘッダは１ビットのＣＳＩ（Ｃｏｎｖｅｒｇｅｎｃｅ  Ｓｕｂｌａｙｅｒ  Ｉｎｄｉｃａｔｉｏｎ）、３ビットのＳＮ（Ｓｅｑｕｅｎｃｅ  Ｎｕｍｂｅｒ）、４ビットのＳＮＰ（ＳＮ  Ｐｒｏｔｅｃｔｉｏｎ）とから構成されている。
【００２６】
ＣＳＩビットは２種類のＡＡＬ１セルフォーマットを区別するビットであり、ＳＮビットは「０」〜「７」までセルをカウントしてセルロス／重複／順序逆転発生を監視するためのビットである。ＳＮＰビットはＳＮビットをＣＲＣ（Ｃｙｃｌｉｃ  Ｒｅｄｕｎｄａｎｃｙ  Ｃｈｅｃｋ）演算したものである。ＡＡＬ１ＳＡＲの内容については本発明に直接関係しないので、その詳細な内容についての説明は省略する。
【００２７】
また、セルに１バイト（Ｂｙｔｅ）の冗長データを付与し、セル長を５４バイトにしている理由はセル先頭位相を装置内基準８ｋＨｚＦＰに同期させるためであり、この技術は２重化構成ＡＴＭ交換機内では一般的に使われている技術である。
【００２８】
例えば、図１のＡＴＭ交換機１内の系交絡部２２，３２のセルインタフェース規定をセル長５４バイト固定の空きセル制御方式（セル間隔を常にセル長固定とし、各セルにデータの有効／無効を示す情報を付与する方式）とし、回線速度を１５５．５２Ｍｂｐｓとした場合、基準８ｋＨｚ信号の１ＦＰ内（１２５μｓ）にセル（有効セル＋空きセル合計）は常に４５セル入ることになり、各セル先頭の位相は３６０ｋＨｚ周期となるため、その周期を基準８ｋＨｚに同期させることによって両系のセル位相を一致させている。
【００２９】
ＡＡＬ１ＳＡＲのＡＴＭ側インタフェースの入力側規定を上記のようにし、ＳＴＭ側は６５．５３６Ｍｂｐｓの１０２４ＴＳ（タイムスロット）データ、有効チャネル数は１０２４（全タイムスロット）、ＡＡＬ１変換は各チャネル６４Ｋｂｐｓ（１ＴＳ＝１ＶＣ対応）とした場合のＡＡＬ１ＳＡＲ内の動作を図３に示す。
【００３０】
図３は本発明の一実施例による２重化同期ＡＡＬ１ＳＡＲ機能の構成例を示すブロック図である。図３においては、上述したＡＡＬ１セル変換部２１，３１の２重化同期ＡＡＬ１ＳＡＲ機能を示している。
【００３１】
図３において、２重化同期ＡＡＬ１ＳＡＲ機能４はフレーム格納バッファ４１と、ＡＡＬ１セルペイロード読出し制御部４２と、ＡＡＬ１ヘッダ付与部４３と、ＡＴＭヘッダ付与部４４と、特定ＶＣセル廃棄部４５と、４７フレームカウンタ４６と、同期交絡制御部４７×８フレームカウンタ４７と、回線Ｏｐｅｎ／Ｃｌｏｓｅ指示部４８と、スケジューラ設定部４９と、ＡＣＴ（アクト）／ＳＢＹ（スタンバイ）指示・同期運転指示部５０とから構成されている。
【００３２】
図４は本発明の一実施例によるＡＡＬ１ＳＡＲ出力セルの位相関係を示す図である。これら図１〜図４を参照して本発明の一実施例における系切替え動作について説明する。
【００３３】
各ＶＣのＡＡＬ１セルペイロードは４７バイトのため、各チャネル６４Ｋｂｐｓ時は４７ＦＰ毎に同一ＶＣセルの生成が可能となる。また、ＳＮビットは「０」〜「７」までの周期カウンタのため、同一ＶＣかつ同一ＡＡＬ１ヘッダを持つセルの生成間隔は４７×８＝３７６ＦＰとなる。
【００３４】
また、１ＦＰ時間内に生成するＡＡＬ１セル数を固定の状態で、４７ＦＰ時間に全チャネル１０２４個のＡＡＬ１セルを生成する必要があるため、２重化同期ＡＡＬ１ＳＡＲ機能４が１ＦＰ時間内に生成しなければならないＡＡＬ１セル数（ｎ）は、
ｎ≧１０２４÷４７≒２１．８
となる。
【００３５】
また、１ＦＰ時間内に２重化同期ＡＡＬ１ＳＡＲ機能４がＡＴＭインタフェースに挿入可能なセル数は上述したように最大４５セルのため、ｎの値は、
２２≦ｎ≦４５
の範囲に設定する必要がある。ｎの値が小さければ有効セルトラフィックの瞬間的な増大を抑えることができるため、ここでは仮にｎ＝２２の値を上記のソフト処理で設定する。
【００３６】
上述した設定パラメータから、２重化同期ＡＡＬ１ＳＡＲ機能４内のＡＡＬ１セルペイロード読出し制御部４２、ＡＡＬ１ヘッダ付与部４３、ＡＴＭヘッダ付与部４４は１ＦＰ時間内に２２セルずつセル生成するため、４７ＦＰ時間では２２×４７＝１０３４セル（１０３４種類のＶＣ）を生成することになり、本来、必要なＳＴＭ側全チャネル数１０２４ＴＳよりも１０チャネル分多くなってしまう。
【００３７】
しかしながら、この冗長チャネル（ＶＣ）分は回線Ｏｐｅｎ／Ｃｌｏｓｅ指示部４８でＶＣ番号最老番から１０チャネル（仮に１０２４〜１０３３）をソフト指示で固定的に閉塞指示することによって、特定ＶＣセル廃棄部４５で廃棄（空きセル置換）による対処が可能なので問題はない。
【００３８】
フレーム格納バッファ４１ではＳＴＭデータをＴＳ別に格納する。また、フレーム格納バッファ４１のリード／ライトポインタを両系で一致させる必要があるため、そのポインタの初期化は４７フレームカウンタ４６のカウンタ値に従う。
【００３９】
ＡＡＬ１セルペイロード読出し制御部４２は１ＦＰ毎に２２種のＴＳデータを若番より４７バイトずつ順次読取り、ＡＡＬ１セルのペイロード情報とする。４７フレームカウンタ４６からの信号を受信した場合にはＴＳデータのリードポインタを最若番ＴＳに戻す。
【００４０】
ＡＡＬ１ヘッダ付与部４３では４７ＦＰ時間内の全セルに対し、同一のＡＡＬ１ヘッダ情報を付与する。４７フレームカウンタ４６からの信号を受信した時にそのタイミングに同期してＳＮ値を１ずつ値を増やし、ＳＮＰは再演算する。また、同期交絡制御部４７×８フレームカウンタ４７からの信号を受信した場合にはＳＮ値を「０」に初期化する。
【００４１】
ＡＴＭヘッダ付与部４４ではＡＴＭヘッダを付与する。ＶＣ値は４７フレームカウンタ４６からの信号受信後のセルを最若番ＶＣとし、１ＦＰ内セル（４５セル）の先頭から２２セル目までＶＣ値を１ずつ増やして付与する（図４のＡＡＬセルＶＣ参照）。また、ここでは上記２２セルに対してセル有効情報を付与し、後半２３セルにセル無効（空きセル）情報を付与する。
【００４２】
特定ＶＣセル廃棄部４５では制御インタフェースから閉塞指示のあるＶＣセルの空きセル置換を行う。特定ＶＣセル廃棄部４５に入力されるセルのＶＣはＡＴＭヘッダ付与部４４と同様に、４７ＦＰ信号先頭からの位相によって決まっているため、回線Ｏｐｅｎ／Ｃｌｏｓｅ指示部４８から１ＦＰ毎に送られる２２チャネル分のＯｐｅｎ／Ｃｌｏｓｅ指示信号にしたがって有効セルの空きセル置換を行う。
【００４３】
また、上述したように、ＶＣ番号の最老番より１０セル分（ＶＣ番号＝１０２４〜１０３３）はＳＴＭ情報に存在しないデータをペイロードに乗せた不要なセルなので、回線Ｏｐｅｎ／Ｃｌｏｓｅ指示部４８で該当チャネルの閉塞指示を明示的に行い、特定ＶＣセル廃棄部４５で全て空きセル置換する。
【００４４】
さらに、セル廃棄の別の方法として、セル到着毎にそのＶＣ情報から回線Ｏｐｅｎ／Ｃｌｏｓｅ指示部４８の情報を検索してチャネル開閉情報を拾得することも可能だが、その場合、回線Ｏｐｅｎ／Ｃｌｏｓｅ指示部４８へのアクセス頻度が高くなり、ハード／ソフト共に処理が重くなるという欠点がある。
【００４５】
４７フレームカウンタ４６は自系基準となる８ｋＨｚフレーム信号を４７フレームカウントするカウンタであり、同期交絡制御部４７×８フレームカウンタ４７からの信号に同期してカウンタ値を０に戻すことで、４７フレームカウンタ４６の両系同期を取る。
【００４６】
同期交絡制御部４７×８フレームカウンタ４７は両系のＡＡＬ１セル変換部２１，３１間の同期交絡制御機能を持つ４７×８フレーム（３７６フレーム）カウンタである。自系で生成する３７６ＦＰ毎の信号を自系のＡＡＬ１セル変換部２１，３１内のＡＡＬ１ヘッダ付与部４３及び４７フレームカウンタ４６と他系のＡＡＬ１セル変換部３１，２１に対して出力する。
【００４７】
また、同期交絡制御部４７×８フレームカウンタ４７では自系のＡＣＴ／ＳＢＹ指示・同期運転指示部５０からの指示がスタンバイかつ同期運転指示であった場合、他系のＡＡＬ１セル変換部３１，２１からの３７６ＦＰ毎の信号を同期交絡制御部４７×８フレームカウンタ４７のカウンタリセット信号として使用し、従属同期を行う。
【００４８】
回線Ｏｐｅｎ／Ｃｌｏｓｅ指示部４８は制御レジスタ（図示せず）を持ち、制御インタフェースからの各チャネルの開閉指示情報を保持している。また、上述したように、ＳＴＭデータが持つＴＳ数以上のチャネル開閉情報を保持することが必要な場合がある。上記の例ではＳＴＭ側１０２４チャネル（ＴＳ）に対して回線Ｏｐｅｎ／Ｃｌｏｓｅ指示部４８が１０３４チャネル（ＶＣ）の情報を持つ必要がある。
【００４９】
また、回線Ｏｐｅｎ／Ｃｌｏｓｅ指示部４８は特定ＶＣセル廃棄部４５に対して１ＦＰ毎にＡＴＭヘッダ付与部４４が付与する２２種類ＶＣに該当するチャンネルの開閉情報を送信する機能を持つ。
【００５０】
スケジューラ設定部４９は１ＦＰ時間毎にいくつのＡＡＬ１セルを生成するかの設定情報を持つ制御レジスタである。ＡＣＴ／ＳＢＹ指示・同期運転指示部５０は自系のＡＡＬ１セル変換部２１，３１のアクト／スタンバイ情報と、両系同期運転を行う／行わないの情報を持つ制御レジスタである。
【００５１】
図４に、ＡＴＭヘッダ付与部４４から出力される特定ＶＣセル廃棄前のセルの、基準８ｋＨｚ（１ＦＰ）に対する位相関係と、４７ＦＰに対する位相関係と、３７６ＦＰに対する位相関係とを示す。
【００５２】
基準８ｋＨｚ（１ＦＰ）内にセル（有効セル＋空きセル）は４５個あり、そのうちの先頭から２２セルが有効セル情報を持ったＡＡＬ１セルで、後半２３セルは不定な値を持った空きセルである。１ＦＰで２２種類のＶＣセルを若番より順次生成し、４７ＦＰ時間に１０３４種のＶＣセルを生成する。その間のセル全てに固定的に同一値のＳＮを持ったＡＡＬ１ヘッダを付与する。次の４７ＦＰ時間はＳＮに１を加算してＳＮＰを再演算したＡＡＬ１ヘッダを付与する。
【００５３】
このような動作によって、各系では３７６ＦＰ先頭からの各ＶＣセルの位相が固定的になってるため、両系のＡＡＬ１セル変換部２１，３１間で代表ＶＣ（例えば、ＶＣ＝０）生成間隔に同期した３７６ＦＰを同期交絡信号として使用し、両系のＡＡＬ１セル変換部２１，３１で３７６ＦＰの同期をとることで、全ＶＣセルに対する両系の位相同期を確立することができる。
【００５４】
また、特定ＶＣセル廃棄部４５でのチャネル開閉（セル廃棄）タイミングに関しては、両系間に追加で回線Ｏｐｅｎ／Ｃｌｏｓｅ指示部４８と特定ＶＣセル廃棄部４５との間に１ＦＰ毎に２２チャネル開閉情報を送受する機能を持たせることによって、特定ＶＣセル廃棄部４５の両系同期をとることも可能であるが、非同期のままでも制御系に対し、「両系同期運転中のアクト／スタンバイ系切替え時間前後は回線開閉指示を変化させない」という条件を付加することでも、無瞬断系切替えの対処を行うことが可能であり、この方式の方が回路規模と系間交絡信号とを少なくすることができる。
【００５５】
このように、ＳＴＭ網のデータをＡＴＭセルに変換する時に、代表回線のみの同期交絡信号で両系のＡＡＬ１セル変換部２１，３１の同期を実現しているため、回路規模が非常に小さく、またハード処理内容が少ないためチャネル数を増量したい場合に容易に対処することができる。
【００５６】
また、ＡＡＬ１セル生成数が単位時間（１ＦＰ）当たり一定なため、ＡＴＭセル流にバースト的なトラフィックが発生せず、さらにＡＡＬ１セル変換部２１，３１の制御設定情報が少ないため、ソフト処理の負荷を軽くすることができ、ハード原価の低減かつソフト処理の軽い装置で、２重化ＡＡＬ１ＳＡＲの無瞬断系切替えを行うことができる。
【００５７】
したがって、ＳＴＭデータをＡＴＭセルに変換する２重化されたＡＡＬ１セル変換部２１，３１の同期化に要する回路規模の縮小による原価低減と、ハードによるトラフィック制御機能の追加によるソフト処理軽減と、バースト的なトラフィック発生の回避とを図ることができる。
【００５８】
【発明の効果】
以上説明したように本発明によれば、各々ＳＴＭデータをＡＴＭセルに変換するアクト系及びスタンバイ系の２重化構成をとる２重化ＡＡＬ１変換装置において、アクト系及びスタンバイ系各々において、ＳＴＭ網の各ユーザコネクションの速度が一定でかつ自系がアクト系の時に予め設定された特定ＶＣセルの生成タイミングを他系に通信し、１フレームパルス内に常に固定数かつ位相固定のＡＡＬ１セルを生成することによって、セル損失なしに系切替えを行う際に同期化に要する回路規模と装置構成とソフト処理とを簡易化させることができ、原価低減とソフトウェア処理負荷の軽減とを図ることができるという効果がある。
【図面の簡単な説明】
【図１】本発明の一実施例によるＡＴＭ交換機の構成を示すブロック図である。
【図２】本発明の一実施例で用いられるＡＡＬ１セルフォーマットの構成例を示す図である。
【図３】本発明の一実施例による２重化同期ＡＡＬ１ＳＡＲ機能の構成例を示すブロック図である。
【図４】本発明の一実施例によるＡＡＬ１ＳＡＲ出力セルの位相関係を示す図である。
【符号の説明】
１  ＡＴＭ交換機
２  ０系装置
３  １系装置
４  ２重化同期ＡＡＬ１ＳＡＲ機能
２１，３１  ＡＡＬ１セル変換部
２２，２４，３２，３４  系交絡部
２３，３３  ＡＴＭスイッチ部
２５，３５  ＡＴＭ回線パッケージ部
４１  フレーム格納バッファ
４２  ＡＡＬ１セルペイロード読出し制御部
４３  ＡＡＬ１ヘッダ付与部
４４  ＡＴＭヘッダ付与部
４５  特定ＶＣセル廃棄部
４６  ４７フレームカウンタ
４７  同期交絡制御部４７×８フレームカウンタ
４８  回線Ｏｐｅｎ／Ｃｌｏｓｅ指示部
４９  スケジューラ設定部
５０  ＡＣＴ／ＳＢＹ指示・同期運転指示部
１０１，１０２  ＳＴＭ網データ
１０３，１０４  ＡＴＭ網データ
【図１】
0003570967.tif 000002
【図２】
0003570967.tif 000003
【図３】
0003570967.tif 000004
【図４】
0003570967.tif 000005